(57)【要約】【課題】適正な組み付け性を確保することができるコネクタを提供することを目的とする。【解決手段】ワイヤハーネスＷＨに適用されるコネクタ１は、円筒状に形成されると共に外面から突出して設けられる端子突起部２２を有する端子２と、円柱状に形成され端子挿入開口３１ａから前記端子２を挿入可能である端子挿入孔３１、前記端子２が前記端子挿入孔３１に挿入された状態で前記端子突起部２２が嵌合し係止される係止凹部３２、及び、前記端子挿入孔３１を形成する挿入孔壁面３１ｃから内方に突出して形成されると共に前記端子挿入開口３１ａ側の端部が当該端子挿入開口３１ａ側に突出した突部状に形成され前記端子挿入開口３１ａを介した前記端子挿入孔３１への前記端子２の挿入に伴って前記端子突起部２２を周方向の一方側又は他方側のいずれか一方に振り分け可能である内面突起部３６を有するコネクタハウジング３とを備える。【選択図】図１
2016136510.tif 000002
【特許請求の範囲】
【請求項１】
円筒状に形成されると共に外面から突出して設けられる端子突起部を有する端子と、
円柱状に形成され端子挿入開口から前記端子を挿入可能である端子挿入孔、前記端子が前記端子挿入孔に挿入された状態で前記端子突起部が嵌合し係止される係止凹部、及び、前記端子挿入孔を形成する挿入孔壁面から内方に突出して形成されると共に前記端子挿入開口側の端部が当該端子挿入開口側に突出した突部状に形成され前記端子挿入開口を介した前記端子挿入孔への前記端子の挿入に伴って前記端子突起部を周方向の一方側又は他方側のいずれか一方に振り分け可能である内面突起部を有するコネクタハウジングとを備え、
前記内面突起部は、前記端子の挿入方向に視て周方向に対して前記係止凹部の範囲内に形成されることを特徴とする、
コネクタ。
【請求項２】
前記内面突起部は、前記端子挿入開口とは反対側の端部が当該端子挿入開口とは反対側に突出した突部状に形成され前記端子挿入孔からの前記端子の抜き出しに伴って前記端子突起部を周方向の一方側又は他方側のいずれか一方に振り分け可能である、
請求項１に記載のコネクタ。
【請求項３】
前記内面突起部は、前記端子挿入開口側の端部の突部状の稜線を境界として両側の面が一対の第１ガイド面を構成し、当該一対の第１ガイド面によって前記端子突起部を周方向の一方側又は他方側のいずれか一方に振り分け可能であり、前記端子挿入開口とは反対側の端部の突部状の稜線を境界として両側の面が一対の第２ガイド面を構成し、当該一対の第２ガイド面によって前記端子突起部を周方向の一方側又は他方側のいずれか一方に振り分け可能である、
請求項２に記載のコネクタ。
【請求項４】
前記コネクタハウジングは、前記端子の挿入方向に沿って前記端子挿入開口側から前記係止凹部側に向かって螺旋状に形成され前記端子突起部が当接可能であり前記端子挿入開口を介した前記端子挿入孔への前記端子の挿入に伴って前記端子突起部を周方向の一方側に回転させながら前記係止凹部側に案内可能である第１螺旋ガイド面、前記挿入孔壁面に前記挿入方向に沿って前記端子挿入開口側から前記係止凹部側に向かって螺旋状に形成され前記端子突起部が当接可能であり前記端子挿入開口を介した前記端子挿入孔への前記端子の挿入に伴って前記端子突起部を周方向の他方側に回転させながら前記係止凹部側に案内可能である第２螺旋ガイド面、及び、前記第１螺旋ガイド面の前記端子挿入開口側の端部と前記第２螺旋ガイド面の前記端子挿入開口側の端部とが接続されることで角部状に形成され前記端子挿入開口を介した前記端子挿入孔への前記端子の挿入に伴って前記端子突起部を前記第１螺旋ガイド面側又は前記第２螺旋ガイド面側のいずれか一方に振り分け可能である振分部を有し、
前記内面突起部は、前記挿入孔壁面において前記振分部と径方向に対向する位置に当該挿入孔壁面から前記振分部側に突出して形成され、前記端子挿入開口を介した前記端子挿入孔への前記端子の挿入に伴って前記端子の先端が当接して当該端子を前記端子突起部が前記振分部に当接する側に押し上げる、
請求項１乃至請求項３のいずれか１項に記載のコネクタ。
【請求項５】
前記端子は、相手方端子が挿入される円筒状部と、前記円筒状部の内周面との間に当該円筒状部の内部に挿入された前記相手方端子を挟持する弾性接触バネとを有し、
前記弾性接触バネは、前記円筒状部の一部が前記挿入方向に沿って切削され当該円筒状部の内部側に屈曲されることで形成されると共に、前記挿入方向の一方側の端部が前記円筒状部と接続されることで構成される基端部と、前記挿入方向の他方側の端部が当該円筒状部の内部側に折り返されることで構成され前記円筒状部の内周面に支持される先端部とを含んで構成される、
請求項１乃至請求項４のいずれか１項に記載のコネクタ。
【発明の詳細な説明】
【技術分野】
【０００１】
本発明は、コネクタに関する。
【背景技術】
【０００２】
ワイヤハーネスに適用される従来のコネクタとして、例えば、特許文献１、２には、電気接触部（電気接続部）が円筒形状に形成された丸形端子を用いたコネクタが開示されている。
【先行技術文献】
【特許文献】
【０００３】
【特許文献１】特開２０１１−２２８１４３号公報
【特許文献２】特開２０１２−０６９４６４号公報
【発明の概要】
【発明が解決しようとする課題】
【０００４】
ところで、上述の特許文献１、２に記載のコネクタは、適正な組み付け性を確保することができる他の構成が望まれている。
【０００５】
本発明は、上記の事情に鑑みてなされたものであって、適正な組み付け性を確保することができるコネクタを提供することを目的とする。
【課題を解決するための手段】
【０００６】
上記目的を達成するために、本発明に係るコネクタは、円筒状に形成されると共に外面から突出して設けられる端子突起部を有する端子と、円柱状に形成され端子挿入開口から前記端子を挿入可能である端子挿入孔、前記端子が前記端子挿入孔に挿入された状態で前記端子突起部が嵌合し係止される係止凹部、及び、前記端子挿入孔を形成する挿入孔壁面から内方に突出して形成されると共に前記端子挿入開口側の端部が当該端子挿入開口側に突出した突部状に形成され前記端子挿入開口を介した前記端子挿入孔への前記端子の挿入に伴って前記端子突起部を周方向の一方側又は他方側のいずれか一方に振り分け可能である内面突起部を有するコネクタハウジングとを備え、前記内面突起部は、前記端子の挿入方向に視て周方向に対して前記係止凹部の範囲内に形成されることを特徴とする。
【０００７】
また、上記コネクタでは、前記内面突起部は、前記端子挿入開口とは反対側の端部が当該端子挿入開口とは反対側に突出した突部状に形成され前記端子挿入孔からの前記端子の抜き出しに伴って前記端子突起部を周方向の一方側又は他方側のいずれか一方に振り分け可能であるものとすることができる。
【０００８】
また、上記コネクタでは、前記内面突起部は、前記端子挿入開口側の端部の突部状の稜線を境界として両側の面が一対の第１ガイド面を構成し、当該一対の第１ガイド面によって前記端子突起部を周方向の一方側又は他方側のいずれか一方に振り分け可能であり、前記端子挿入開口とは反対側の端部の突部状の稜線を境界として両側の面が一対の第２ガイド面を構成し、当該一対の第２ガイド面によって前記端子突起部を周方向の一方側又は他方側のいずれか一方に振り分け可能であるものとすることができる。
【０００９】
また、上記コネクタでは、前記コネクタハウジングは、前記端子の挿入方向に沿って前記端子挿入開口側から前記係止凹部側に向かって螺旋状に形成され前記端子突起部が当接可能であり前記端子挿入開口を介した前記端子挿入孔への前記端子の挿入に伴って前記端子突起部を周方向の一方側に回転させながら前記係止凹部側に案内可能である第１螺旋ガイド面、前記挿入孔壁面に前記挿入方向に沿って前記端子挿入開口側から前記係止凹部側に向かって螺旋状に形成され前記端子突起部が当接可能であり前記端子挿入開口を介した前記端子挿入孔への前記端子の挿入に伴って前記端子突起部を周方向の他方側に回転させながら前記係止凹部側に案内可能である第２螺旋ガイド面、及び、前記第１螺旋ガイド面の前記端子挿入開口側の端部と前記第２螺旋ガイド面の前記端子挿入開口側の端部とが接続されることで角部状に形成され前記端子挿入開口を介した前記端子挿入孔への前記端子の挿入に伴って前記端子突起部を前記第１螺旋ガイド面側又は前記第２螺旋ガイド面側のいずれか一方に振り分け可能である振分部を有し、前記内面突起部は、前記挿入孔壁面において前記振分部と径方向に対向する位置に当該挿入孔壁面から前記振分部側に突出して形成され、前記端子挿入開口を介した前記端子挿入孔への前記端子の挿入に伴って前記端子の先端が当接して当該端子を前記端子突起部が前記振分部に当接する側に押し上げるものとすることができる。
【００１０】
また、上記コネクタでは、前記端子は、相手方端子が挿入される円筒状部と、前記円筒状部の内周面との間に当該円筒状部の内部に挿入された前記相手方端子を挟持する弾性接触バネとを有し、前記弾性接触バネは、前記円筒状部の一部が前記挿入方向に沿って切削され当該円筒状部の内部側に屈曲されることで形成されると共に、前記挿入方向の一方側の端部が前記円筒状部と接続されることで構成される基端部と、前記挿入方向の他方側の端部が当該円筒状部の内部側に折り返されることで構成され前記円筒状部の内周面に支持される先端部とを含んで構成されるものとすることができる。
【００１１】
なお、参考例として、コネクタは、円筒状に形成されると共に外面から突出して設けられる端子突起部を有する端子と、円柱状に形成され端子挿入開口から前記端子を挿入可能である端子挿入孔、前記端子挿入孔を形成する挿入孔壁面に前記端子の挿入方向に延在して設けられ前記端子が前記端子挿入孔に挿入された状態で前記端子突起部が挿入され前記端子の周方向両側への回転を規制する回転規制溝、及び、前記端子挿入孔を形成する挿入孔壁面から内方に突出して形成されると共に前記端子挿入開口を介した前記端子挿入孔への前記端子の挿入に伴って前記端子突起部を前記回転規制溝側に案内可能である内面突起部を有するコネクタハウジングとを備える場合がある。
【発明の効果】
【００１２】
本発明に係るコネクタは、端子突起部を係止凹部に嵌合させ係止するために端子挿入開口を介して端子を端子挿入孔へ挿入する際に、端子突起部が内面突起部に当接しても当該内面突起部の突部状の部分によって端子突起部が周方向の一方側又は他方側のいずれか一方に振り分けられるので、端子突起部と内面突起部とが衝突していわゆるどつきが発生することを抑制することができる。この結果、コネクタは、適正な組み付け性を確保することができる、という効果を奏する。
【図面の簡単な説明】
【００１３】
【図１】図１は、実施形態１に係るコネクタの概略構成を表す断面図である。
【図２】図２は、実施形態１に係るコネクタの概略構成を表す斜視図である。
【図３】図３は、実施形態１に係るコネクタの概略構成を表す斜視図である。
【図４】図４は、実施形態１に係るコネクタの概略構成を表す部分断面斜視図である。
【図５】図５は、実施形態１に係るコネクタの端子を表す分解斜視図である。
【図６】図６は、実施形態１に係るコネクタの端子を表す斜視図である。
【図７】図７は、実施形態１に係るコネクタの端子を表す側面図である。
【図８】図８は、実施形態１に係るコネクタのランス部を表す部分斜視図である。
【図９】図９は、図１に示すＡ−Ａ部分断面図である。
【図１０】図１０は、図１に示すＢ−Ｂ部分断面図である。
【図１１】図１１は、図１に示すＣ−Ｃ部分断面図である。
【図１２】図１２は、図１に示すＤ−Ｄ部分断面図である。
【図１３】図１３は、実施形態１に係るコネクタの振分部を表す部分斜視図である。
【図１４】図１４は、実施形態１に係るコネクタの押上部を表す部分斜視図である。
【図１５】図１５は、実施形態１に係るコネクタの動作を説明する部分断面斜視図である。
【図１６】図１６は、実施形態１に係るコネクタの動作を説明する部分断面斜視図である。
【図１７】図１７は、実施形態１に係るコネクタの動作を説明する部分断面斜視図である。
【図１８】図１８は、実施形態１に係るコネクタの動作を説明する部分断面図である。
【図１９】図１９は、実施形態１に係る押上部の作用を説明する模式図である。
【図２０】図２０は、実施形態１に係るコネクタの概略構成を表す断面図である。
【図２１】図２１は、実施形態２に係るコネクタの端子を表す斜視図である。
【図２２】図２２は、実施形態２に係るコネクタの端子を表す正面図である。
【図２３】図２３は、実施形態２に係るコネクタの端子の電気接続部を含む部分断面斜視図である。
【図２４】図２４は、実施形態２に係るコネクタの端子の電気接続部を含む軸方向に沿った部分断面図である。
【図２５】図２５は、実施形態２に係るコネクタの端子の軸方向に沿った断面図である。
【図２６】図２６は、実施形態２に係るコネクタの端子の軸方向と直交する方向に沿った断面図である。
【図２７】図２７は、実施形態２に係るコネクタの端子の軸方向に沿った断面図である。
【図２８】図２８は、実施形態２に係るコネクタの端子の軸方向と直交する方向に沿った断面図である。
【図２９】図２９は、参考例に係るコネクタの概略構成を表す側面図である。
【図３０】図３０は、参考例に係るコネクタの軸方向に沿った断面図である。
【図３１】図３１は、図２９に示すＦ−Ｆ断面図である。
【図３２】図３２は、図２９に示すＧ−Ｇ断面図である。
【図３３】図３３は、図２９に示すＨ−Ｈ断面図である。
【図３４】図３４は、参考例に係るコネクタのハウジング本体の正面図である。
【図３５】図３５は、参考例に係るコネクタのフロントホルダーの正面図である。
【図３６】図３６は、参考例に係るコネクタの軸方向に沿った断面図である。
【図３７】図３７は、参考例に係るコネクタの軸方向と直交する方向に沿った断面図である。
【発明を実施するための形態】
【００１４】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１５】
［実施形態１］
図１、図２０は、実施形態１に係るコネクタの概略構成を表す断面図である。図１は、スペーサが端子挿入位置にある状態を表し、図２０は、スペーサが二重係止位置にある状態を表す。図２、図３は、実施形態１に係るコネクタの概略構成を表す斜視図である。図４は、実施形態１に係るコネクタの概略構成を表す部分断面斜視図である。図５は、実施形態１に係るコネクタの端子を表す分解斜視図である。図６は、実施形態１に係るコネクタの端子を表す斜視図である。図７は、実施形態１に係るコネクタの端子を表す側面図である。図８は、実施形態１に係るコネクタのランス部を表す部分斜視図である。図９は、図１に示すＡ−Ａ部分断面図である。図１０は、図１に示すＢ−Ｂ部分断面図である。図１１は、図１に示すＣ−Ｃ部分断面図である。図１２は、図１に示すＤ−Ｄ部分断面図である。図１３は、実施形態１に係るコネクタの振分部を表す部分斜視図である。図１４は、実施形態１に係るコネクタの押上部を表す部分斜視図である。図１５、図１６、図１７は、実施形態１に係るコネクタの動作を説明する部分断面斜視図である。図１８は、実施形態１に係るコネクタの動作を説明する部分断面図である。図１９は、実施形態１に係る押上部の作用を説明する模式図である。なお、図１、図２０は、相手方コネクタを二点鎖線で図示している。また、図１、図５、図６、図７以外は、端子に接続される電線の図示を省略している（ただし、図１では二点鎖線で図示している。）。また、図９、図１０、図１１、図１２は、対応する断面位置に端子突起部が位置している状態の端子を二点鎖線で図示している。
【００１６】
図１等に示す本実施形態のコネクタ１は、例えば、自動車等に使用されるワイヤハーネスＷＨ等に適用される。ここでは、コネクタ１は、ワイヤハーネスＷＨを構成する電線３０１（図５等参照）と電気機器としてのＥＣＵ（Ｅｌｅｃｔｒｏｎｉｃ  Ｃｏｎｔｒｏｌ  Ｕｎｉｔ）との接続に使用されるメス型のＥＣＵコネクタである。コネクタ１は、ワイヤハーネスＷＨを構成する電線３０１の末端に接続され、ＥＣＵ側に接続される相手方コネクタ２０１（図１に二点鎖線で図示）に嵌合して電気的に接続される。ここで、相手方コネクタ２０１は、オス型のＥＣＵコネクタであり、相手方端子としてのオス型の端子２０２と、端子２０２を保持するオス型のコネクタハウジング２０３とを備える。コネクタハウジング２０３は、コネクタ１が嵌合する嵌合空間部２０３ａに端子２０２が露出するようにして当該端子２０２を保持する。本実施形態のコネクタ１は、メス型の端子２と、端子２を保持するメス型のコネクタハウジング３とを備え、コネクタハウジング３が相手方コネクタ２０１の嵌合空間部（フード部という場合がある。）２０３ａに嵌合し、端子２が相手方コネクタ２０１の端子２０２と電気的に接続される。以下、各図を参照してコネクタ１の構成について詳細に説明する。
【００１７】
なお、以下の説明では、コネクタ１において円柱状に形成される端子挿入孔３１の中心軸線に沿った方向を軸方向といい、中心軸線と直交する方向、すなわち、軸方向に直交する方向を径方向といい、中心軸線周りの方向を周方向という。また、径方向において中心軸線側を径方向内側といい、反対側を径方向外側という。以下の説明で用いる各方向は、特に断りのない限り、各部が相互に組み付けられた状態での方向を表すものとする。なお、軸方向は、コネクタハウジング３に形成された端子挿入孔３１に端子２を挿入する際の挿入方向に沿った方向であり、挿入方向前側に相手方コネクタ２０１が位置し、挿入方向後側に電線３０１が延在する。上述の端子２０２は、当該挿入方向（軸方向）に沿って延在する。
【００１８】
端子２は、図１、図２、図３、図４、図５、図６、図７に示すように、円筒状に形成されたメス型の丸形端子として構成される。端子２は、外面から突出して設けられる端子突起部２２を有し、電線３０１の末端に接続される。端子２は、コネクタハウジング３に形成された端子挿入孔３１に挿入され収容されることでコネクタ１を構成するコネクタ用のメス端子である。
【００１９】
具体的には、端子２は、電気接続部２１と、端子突起部２２と、電線接続部２３と、位置決め凹部２４とを含み、全体が導電性の金属によって構成される。端子２は、例えば、電気接続部２１、端子突起部２２、電線接続部２３、位置決め凹部２４等の各部に対応した形状に打ち抜かれた一枚の板金をプレス成形することにより各部が一体で形成される。端子２は、電気接続部２１が円筒状に形成される。
【００２０】
電気接続部２１は、相手方端子としての端子２０２と電気接続するための部分であり、端子２において挿入方向前側の端部を構成する。電気接続部２１は、円筒状に形成される。電気接続部２１は、径方向に沿った断面形状が正円形状であるが製造誤差等に応じて多少偏平となることは許容される。電気接続部２１は、挿入方向前側が開口した円筒状に形成される円筒状部（ボックス部）２１ａと、円筒状部２１ａの内部に配設された弾性接触バネ２１ｂとを含んで構成される。電気接続部２１は、例えば、上記のように所定の形状に打ち抜かれた板金において弾性接触バネ２１ｂの部分が内側となるように折り返されると共に円筒状部２１ａの部分の端縁同士を突き合わせることで形成されている。円筒状部２１ａは、中心軸線が挿入方向（軸方向）に沿い、弾性接触バネ２１ｂは、挿入方向に沿って帯状に形成される。弾性接触バネ２１ｂは、挿入方向後側の端部が円筒状部２１ａと接続されて基端部を構成し挿入方向前側に向けて延在して形成されることで片持バネを構成し、径方向に沿って撓み変形可能とされる。電気接続部２１は、円筒状部２１ａの内部に相手方端子としての端子２０２が挿入されると共に弾性接触バネ２１ｂが円筒状部２１ａの内部に挿入された端子２０２によって押圧され径方向に弾性変形し、当該弾性変形に伴って生じる弾性反力により、弾性接触バネ２１ｂと円筒状部２１ａの内周面との間に端子２０２を挟持する。電気接続部２１は、円筒状部２１ａの内周面から内側に向けて突出するようにして形成された２つの接点部２１ｃ、２１ｄ、及び、弾性接触バネ２１ｂに突出するようにして形成された１つの接点部２１ｅ、合計３つの接点部２１ｃ、２１ｄ、２１ｅで端子２０２と電気的に接続される。接点部２１ｃ、２１ｄ、２１ｅは、それぞれ電気接続部２１を構成する板金にインデント（押圧変形による凹部）を設けることで形成される。なお、端子２０２は、典型的には、角形端子であるがこれに限らず丸形端子であってもよい。
【００２１】
端子突起部２２は、電気接続部２１の外周面に形成される。端子突起部２２は、電気接続部２１の外周面から外側に向けて突出して形成される。端子突起部２２は、電気接続部２１を構成する板金に、頂点が曲面状をなす半砲弾型のインデント（内側から外側に向けた押圧変形による凹部）を設けることで形成される。端子突起部２２は、半砲弾型の頂点側が挿入方向前側を向くようにして形成される。端子突起部２２は、挿入方向に視て略扇形状に形成されると共に、挿入方向後側の端面が後述するコネクタハウジング３の係止凹部３２に係止される係止面２２ａを構成する。端子突起部２２は、電気接続部２１において軸方向の中央部よりやや前側に形成される。
【００２２】
電線接続部２３は、電線３０１と電気接続するための部分であり、端子２において電気接続部２１の挿入方向後側に設けられる。電線接続部２３は、導体圧着部２５及び被覆接続部２６を含んで構成される。被覆接続部２６は、端子２において挿入方向後側の端部を構成し、導体圧着部２５は、電気接続部２１と被覆接続部２６との間に位置する。ここで、電線３０１は、例えば、複数の導電性の金属素線を撚り合わせた導体部３０２と、当該導体部３０２の外側を覆う絶縁性の被覆部３０３とを含んで構成される。電線３０１は、端末において導体部３０２が被覆部３０３から露出している。電線接続部２３は、導体部３０２を導体圧着部２５で覆い、被覆部３０３の端末を被覆接続部２６で覆うと共に、導体圧着部２５、被覆接続部２６が加締められることで電線３０１と電気接続される。
【００２３】
位置決め凹部２４は、後述のスペーサ５の一部が嵌合されることでコネクタハウジング３に係止されるための凹部である。位置決め凹部２４は、電気接続部２１と導体圧着部２５との間に形成される。
【００２４】
コネクタハウジング３は、図１、図２、図３、図４に示すように、端子２を保持するものであり、全体が絶縁性の合成樹脂材等によって構成される。コネクタハウジング３は、端子挿入孔３１に対して挿入方向後側から端子２が挿入され、これを保持する。本実施形態のコネクタハウジング３は、多数の端子挿入孔３１、図２、図３の例では、９個の端子挿入孔３１を有し、各端子挿入孔３１にそれぞれ端子２が挿入される。なお、以下の説明では、複数の端子挿入孔３１のうちの１つについて説明し、各端子挿入孔３１の共通の説明とする。また、このコネクタハウジング３の説明では、適宜、図８、図９、図１０、図１１、図１２、図１３、図１４を参照する。
【００２５】
具体的には、コネクタハウジング３は、端子挿入孔３１と、係止凹部３２と、第１螺旋ガイド面３３と、第２螺旋ガイド面３４（図９、図１０、図１１等参照）と、振分部３５と、内面突起部としての押上部３６とを有する。端子挿入孔３１は、略円柱状に形成され端子挿入開口３１ａから端子２を挿入可能である。上述した端子２は、当該端子挿入孔３１の中心軸線に沿った軸方向に沿って挿入される。つまり、端子２の挿入方向は、当該端子挿入孔３１の軸方向に沿った方向となる。そして、係止凹部３２、第１螺旋ガイド面３３、第２螺旋ガイド面３４、振分部３５、押上部３６等の各部は、当該端子挿入孔３１内、あるいは、当該端子挿入孔３１の近傍に形成される。
【００２６】
ここで、本実施形態のコネクタハウジング３は、第１ハウジングとしてのハウジング本体４と第２ハウジングとしてのスペーサ５と第３ハウジングとしてのフロントホルダー６とを含んで構成される。コネクタハウジング３は、これらハウジング本体４とスペーサ５とフロントホルダー６とが分割された状態で個別に成形されたものを相互に組み付ける分割構造となっている。端子挿入孔３１は、軸方向（挿入方向）に沿ってハウジング本体４とスペーサ５とフロントホルダー６とに渡って形成される。端子挿入開口３１ａ、係止凹部３２は、ハウジング本体４に形成される。第１螺旋ガイド面３３、第２螺旋ガイド面３４（図９、図１０、図１１参照）は、軸方向（挿入方向）に沿ってハウジング本体４とスペーサ５とに渡って形成される。振分部３５、押上部３６は、スペーサ５に形成される。
【００２７】
ハウジング本体４は、略直方体状に形成され、端子挿入孔３１を構成する本体部挿入孔４１が形成されると共にスペーサ５が嵌合するためのスペーサ嵌合凹部４２が形成されている。本体部挿入孔４１は、円柱状の空間部として形成され、ハウジング本体４を軸方向（挿入方向）に貫通すると共に一部がスペーサ嵌合凹部４２によって分断されている。本体部挿入孔４１は、軸方向一方側（挿入方向後側）の開口が端子挿入開口３１ａを構成する。より詳細には、ハウジング本体４は、略直方体状に形成された本体部４３と、本体部４３から突出するランス部４４と、ランス部４４が突出した空間を囲うフード部４５とを含んで構成される。上記端子挿入開口３１ａは、当該本体部４３の挿入方向後側の面に形成され、上記のスペーサ嵌合凹部４２は、本体部４３に形成される。ランス部４４は、図８にも示すように、本体部４３の挿入方向前側の面から挿入方向に沿って突出して形成される。ランス部４４は、挿入方向（軸方向）と直交する方向の断面形状が略樋状（凹形状）に形成され、当該樋状の部分により本体部挿入孔４１の一部を構成する。上記本体部挿入孔４１は、本体部４３とランス部４４とに渡って連続するようにして形成されている。フード部４５は、本体部４３の挿入方向前側の面の各辺が挿入方向前側に突出するようにして矩形枠状に形成される。ランス部４４は、当該フード部４５の内側に形成された空間部に突出するようにして形成される。
【００２８】
スペーサ５は、スペーサ嵌合凹部４２に嵌合可能な大きさの略矩形板状に形成され、当該スペーサ嵌合凹部４２に着脱可能に組み付けられる。スペーサ５は、ハウジング本体４のスペーサ嵌合凹部４２に対して軸方向（挿入方向）と直交する径方向に沿って着脱可能である。スペーサ５は、ハウジング本体４に対して端子挿入開口３１ａと後述する係止凹部３２との間に着脱可能に組み付けられる。スペーサ５は、端子挿入孔３１を構成するスペーサ部挿入孔５１が形成される。スペーサ部挿入孔５１は、円柱状の空間部として形成され、スペーサ５を軸方向（挿入方向）に貫通する。スペーサ部挿入孔５１は、スペーサ５がハウジング本体４の本体部４３に適正に組み付けられた状態で、軸方向に対して、スペーサ嵌合凹部４２によって分断された本体部挿入孔４１に挟まれる位置に形成される。スペーサ部挿入孔５１は、軸方向に沿って本体部挿入孔４１と並んで対向し、ここでは、当該本体部挿入孔４１と連続する。
【００２９】
フロントホルダー６は、ハウジング本体４の端子挿入開口３１ａが形成される側とは反対（挿入方向前側）の端面を覆うことができる蓋状に形成される。フロントホルダー６は、１つの面が開口した矩形箱状に形成され、フード部４５に装着されることで、ハウジング本体４の挿入方向前側の端面を覆うようにハウジング本体４に組み付けられる。上述のランス部４４は、当該フロントホルダー６とハウジング本体４の本体部４３、フード部４５とに区画される空間部に位置する。フロントホルダー６は、端子挿入孔３１を構成するホルダー部挿入孔６１が形成される。ホルダー部挿入孔６１は、円柱状の空間部として形成され、フロントホルダー６を軸方向（挿入方向）に貫通する。より詳細には、フロントホルダー６は、筒状部６２を含んで構成される。筒状部６２は、一部が切り欠かれた円筒状に形成される部分であり、挿入方向後側に向けて形成される。つまり、筒状部６２は、ランス部４４が位置する空間部側に突出するようにして形成される。ホルダー部挿入孔６１は、筒状部６２の内周面側の空間部として形成される。ホルダー部挿入孔６１は、フロントホルダー６がハウジング本体４に適正に組み付けられた状態で、軸方向に対して、本体部挿入孔４１の挿入方向前側で、当該本体部挿入孔４１と軸方向に沿って並んで対向する位置に形成される。ホルダー部挿入孔６１は、軸方向他方側（挿入方向前側）の開口が相手方端子挿入開口３１ｂを構成する。ホルダー部挿入孔６１は、当該相手方端子挿入開口３１ｂの部分が略矩形状の断面形状となっている。相手方端子挿入開口３１ｂは、挿入方向に対して、ハウジング本体４の本体部挿入孔４１とは反対側に形成され、端子２と電気的に接続される相手方端子である端子２０２が挿入される開口である。フロントホルダー６は、コネクタハウジング３に複数設けられる各端子２が各端子挿入孔３１に挿入され端子突起部２２が後述の係止凹部３２に係止された状態で、各端子２の挿入方向前側において、筒状部６２が、隣接する各端子２間の仕切り壁として機能すると共に端子２の挿入方向前側のガタツキを抑える。
【００３０】
端子挿入孔３１は、ハウジング本体４とスペーサ５とフロントホルダー６とが適正な位置で組み付けられた状態で本体部挿入孔４１とスペーサ部挿入孔５１とホルダー部挿入孔６１とが軸方向（挿入方向）に並んで対向する。これにより、端子挿入孔３１は、軸方向（挿入方向）に沿ってハウジング本体４とスペーサ５とフロントホルダー６とに渡って形成される１つの円柱状の空間部を構成する。当該端子挿入孔３１は、端子２を保持するキャビティと呼ばれることもある。
【００３１】
なお、このコネクタハウジング３は、本体部挿入孔４１とスペーサ部挿入孔５１とホルダー部挿入孔６１とが軸方向に並んで対向する適正な位置関係で、ハウジング本体４とスペーサ５とを相互に係止するための係止機構、ハウジング本体４とフロントホルダー６とを相互に係止するための係止機構をそれぞれ有している。また、端子挿入孔３１（本体部挿入孔４１、スペーサ部挿入孔５１、ホルダー部挿入孔６１）は、必ずしも軸方向に沿って連続する必要はなく、さらに、端子挿入孔３１（本体部挿入孔４１、スペーサ部挿入孔５１、ホルダー部挿入孔６１）を形成する挿入孔壁面３１ｃは、上記のランス部４４の部分のように、部分的に切り欠かれている部分が存在することが許容される。また、以下の説明では、図１等に示すように、端子挿入孔３１を形成する挿入孔壁面３１ｃのうち、本体部挿入孔４１を形成する壁面を本体部挿入孔壁面４１ａ、スペーサ部挿入孔５１を形成する壁面をスペーサ部挿入孔壁面５１ａ、ホルダー部挿入孔６１を形成する壁面をホルダー部挿入孔壁面６１ａという場合がある。
【００３２】
係止凹部３２は、端子２が端子挿入孔３１に挿入された状態で端子突起部２２が嵌合し係止される部分である。係止凹部３２は、ハウジング本体４に形成される。より詳細には、係止凹部３２は、図８、図１２にも示すように、ハウジング本体４のランス部４４の挿入方向前側の端部に形成される。係止凹部３２は、ランス部４４の挿入方向前側の端部の一部が挿入方向後側に窪むことで形成される。さらに言えば、係止凹部３２は、本体部４３から挿入方向前側に突出するランス部４４の基端部４４ａと、当該基端部４４ａから挿入方向前側に突出する一対の突起壁体４４ｂとによって形成される。一対の突起壁体４４ｂは、挿入方向前側に先端を有し、挿入方向と直交する方向に相互に間隔をあけて形成される。係止凹部３２は、ランス部４４の基端部４４ａの挿入方向前側の壁面と、一対の突起壁体４４ｂの互いに向かい合う壁面とによって区画される空間部として形成される。係止凹部３２は、端子２の端子突起部２２が当該係止凹部３２に嵌合し係止された状態で、基端部４４ａの挿入方向前側の壁面が抜け規制壁面３２ａを構成し、一対の突起壁体４４ｂの互いに向かい合う壁面が一対の回転規制壁面３２ｂを構成する。抜け規制壁面３２ａは、端子突起部２２が係止凹部３２に嵌合し係止された状態で、端子突起部２２の係止面２２ａと当接することで、当該端子２が端子挿入孔３１から抜けることを規制する。一対の回転規制壁面３２ｂは、端子突起部２２が係止凹部３２に嵌合し係止された状態で、端子突起部２２の各側面と当接することで、当該端子２の周方向両側への回転を規制する。
【００３３】
なお、上述したように、一対の回転規制壁面３２ｂは、一対の突起壁体４４ｂの表面に形成される。そして、一対の突起壁体４４ｂを含むハウジング本体４（コネクタハウジング３）は、樹脂成形によって構成される。この場合、ハウジング本体４は、上記突起壁体４４ｂが樹脂の最終充填位置となることが好ましい。
【００３４】
第１螺旋ガイド面３３は、図９、図１０、図１１、図１３にも示すように、端子挿入孔３１を形成する挿入孔壁面３１ｃに挿入方向に沿って端子挿入開口３１ａ側から係止凹部３２側に向かって螺旋状に形成される。第１螺旋ガイド面３３は、始端が挿入孔壁面３１ｃを構成するスペーサ部挿入孔壁面５１ａにおける挿入方向後側の端部に位置し、終端が挿入孔壁面３１ｃを構成する本体部挿入孔壁面４１ａにおけるランス部４４の基端部４４ａの近傍に位置している。つまり、第１螺旋ガイド面３３は、スペーサ５に形成されたスペーサ部挿入孔５１のスペーサ部挿入孔壁面５１ａからハウジング本体４の本体部４３に形成された本体部挿入孔４１の本体部挿入孔壁面４１ａに渡って連続して形成される。第１螺旋ガイド面３３は、端子突起部２２の側面部分が当接可能な面として形成される。第１螺旋ガイド面３３は、端子挿入開口３１ａ側の始端の周方向における位置が、周方向における係止凹部３２の位置に対して端子挿入孔３１の中心軸線周りに約１８０°程度、反対側に位置する。第１螺旋ガイド面３３は、挿入方向前側を視て、始端においてほぼ径方向に沿って延在し、終端にかけて端子挿入孔３１の中心軸線周りに右回り（時計回り）で約１８０°程度で旋回するようにして３次曲面を形成する。第１螺旋ガイド面３３は、端子挿入開口３１ａを介した端子挿入孔３１への端子２の挿入に伴って端子突起部２２を周方向の一方側、ここでは挿入方向前側を視て右回り（時計回り）側に回転させながら係止凹部３２側に案内可能である。つまり、第１螺旋ガイド面３３は、端子突起部２２を螺旋状の回転軌跡（挿入方向前側を視て右回り（時計回り）の回転軌跡）で係止凹部３２側に向かって移動させることができる。
【００３５】
第２螺旋ガイド面３４は、図９、図１０、図１１、図１３にも示すように、第１螺旋ガイド面３３とほぼ同様に構成される。ただし、第２螺旋ガイド面３４は、螺旋の方向が第１螺旋ガイド面３３と異なる。具体的には、第２螺旋ガイド面３４は、端子挿入孔３１を形成する挿入孔壁面３１ｃに挿入方向に沿って端子挿入開口３１ａ側から係止凹部３２側に向かって螺旋状に形成される。第２螺旋ガイド面３４は、始端が挿入孔壁面３１ｃを構成するスペーサ部挿入孔壁面５１ａにおける挿入方向後側の端部に位置し、終端が挿入孔壁面３１ｃを構成する本体部挿入孔壁面４１ａにおけるランス部４４の基端部４４ａの近傍に位置している。第２螺旋ガイド面３４の始端の位置、及び、終端の位置は、第１螺旋ガイド面３３の始端の位置、及び、終端の位置とほぼ一致している。つまり、第２螺旋ガイド面３４は、スペーサ５に形成されたスペーサ部挿入孔５１のスペーサ部挿入孔壁面５１ａからハウジング本体４の本体部４３に形成された本体部挿入孔４１の本体部挿入孔壁面４１ａに渡って連続して形成される。第２螺旋ガイド面３４は、端子突起部２２の側面部分が当接可能な面として形成される。第２螺旋ガイド面３４は、端子挿入開口３１ａ側の始端の周方向における位置が、周方向における係止凹部３２の位置に対して端子挿入孔３１の中心軸線周りに約１８０°程度、反対側に位置する。第２螺旋ガイド面３４は、挿入方向前側を視て、始端においてほぼ径方向に沿って延在し、終端にかけて端子挿入孔３１の中心軸線周りに左回り（反時計回り）で約１８０°程度で旋回するようにして３次曲面を形成する。第２螺旋ガイド面３４は、端子挿入開口３１ａを介した端子挿入孔３１への端子２の挿入に伴って端子突起部２２を周方向の他方側、ここでは挿入方向前側を視て左回り（反時計回り）側に回転させながら係止凹部３２側に案内可能である。つまり、第２螺旋ガイド面３４は、端子突起部２２を螺旋状の回転軌跡（挿入方向前側を視て左回り（反時計回り）の回転軌跡）で係止凹部３２側に向かって移動させることができる。
【００３６】
振分部３５は、図１３にも示すように、挿入孔壁面３１ｃ、ここでは、挿入孔壁面３１ｃを構成するスペーサ部挿入孔壁面５１ａに形成される。つまり、振分部３５は、端子挿入孔３１内、ここでは、端子挿入孔３１を構成するスペーサ部挿入孔５１内に形成される。振分部３５は、第１螺旋ガイド面３３の端子挿入開口３１ａ側の端部（始端）と第２螺旋ガイド面３４の端子挿入開口３１ａ側の端部（始端）とが接続されることで角部状（突部状）に形成される。振分部３５は、角部状の稜線３５ａが径方向に沿って延在する。また、振分部３５は、角部状の稜線３５ａの先端部（径方向内側の部分）が面取り部３５ｂとして形成されている。振分部３５は、周方向における係止凹部３２の位置に対して端子挿入孔３１の中心軸線周りに約１８０°程度、反対側に位置する。振分部３５は、端子挿入開口３１ａを介した端子挿入孔３１への端子２の挿入に伴って、稜線３５ａを境界として、端子突起部２２を第１螺旋ガイド面３３側又は第２螺旋ガイド面３４側のいずれか一方に振り分け可能である。典型的には、振分部３５は、端子突起部２２の頂点が稜線３５ａより第１螺旋ガイド面３３側に位置している場合には端子突起部２２を第１螺旋ガイド面３３側に振り分ける。振分部３５は、端子突起部２２の頂点が稜線３５ａより第２螺旋ガイド面３４側に位置している場合には端子突起部２２を第２螺旋ガイド面３４側に振り分ける。
【００３７】
押上部３６は、図１４にも示すように、挿入孔壁面３１ｃ、ここでは、挿入孔壁面３１ｃを構成するスペーサ部挿入孔壁面５１ａに形成される。つまり、押上部３６は、端子挿入孔３１内、ここでは、端子挿入孔３１を構成するスペーサ部挿入孔５１内に形成される。押上部３６は、端子挿入孔３１を形成する挿入孔壁面３１ｃ、ここでは、スペーサ部挿入孔５１を形成するスペーサ部挿入孔壁面５１ａから内方に突出して形成される内面突起部である。押上部３６は、スペーサ部挿入孔壁面５１ａにおいて振分部３５と径方向に対向する位置に当該スペーサ部挿入孔壁面５１ａから振分部３５側に突出して形成される。つまり、押上部３６は、周方向における振分部３５の位置に対して端子挿入孔３１の中心軸線周りに約１８０°程度、反対側に位置する。言い換えれば、押上部３６は、周方向における係止凹部３２の位置とほぼ同等の周方向位置に形成される。押上部３６は、端子挿入開口３１ａを介した端子挿入孔３１への端子２の挿入に伴って端子２の先端が当接して当該端子２を、端子突起部２２が振分部３５に当接する側に押し上げるように、挿入方向後側の端部が斜面として形成される。
【００３８】
またここでは、押上部３６は、端子挿入開口３１ａ側の端部が当該端子挿入開口３１ａ側に突出した突部状、ここでは、角部状に形成され、当該角部状の稜線３６ａが径方向に沿って延在する。そして、押上部３６は、稜線３６ａを境界として両側の斜面が一対の第１ガイド面３６ｂ、３６ｃを構成する。押上部３６は、端子挿入孔３１への端子２の挿入に伴って、稜線３６ａを境界として、端子突起部２２を周方向の一方側又は他方側のいずれか一方に振り分け可能である。典型的には、押上部３６は、端子突起部２２の頂点が稜線３６ａより第１ガイド面３６ｂ側に位置している場合には端子突起部２２を第１ガイド面３６ｂ側、すなわち、挿入方向前側を視て右側に振り分ける。押上部３６は、端子突起部２２の頂点が稜線３６ａより第１ガイド面３６ｃ側に位置している場合には端子突起部２２を第１ガイド面３６ｃ側、すなわち、挿入方向前側を視て左側に振り分ける。
【００３９】
さらにここでは、押上部３６は、端子挿入開口３１ａとは反対側の端部が当該端子挿入開口３１ａとは反対側に突出した突部状、ここでは、角部状に形成され、当該角部状の稜線３６ｄが径方向に沿って延在する。そして、押上部３６は、稜線３６ｄを境界として両側の斜面が一対の第２ガイド面３６ｅ、３６ｆを構成する。押上部３６は、端子挿入孔３１からの端子２の抜き出しに伴って、稜線３６ｄを境界として、端子突起部２２を周方向の一方側又は他方側のいずれか一方に振り分け可能である。典型的には、押上部３６は、端子突起部２２の頂点が稜線３６ｄより第２ガイド面３６ｅ側に位置している場合には端子突起部２２を第２ガイド面３６ｅ側、すなわち、挿入方向後側を視て左側に振り分ける。押上部３６は、端子突起部２２の頂点が稜線３６ｄより第２ガイド面３６ｆ側に位置している場合には端子突起部２２を第２ガイド面３６ｆ側、すなわち、挿入方向後側を視て右側に振り分ける。
【００４０】
押上部３６は、上記の第１ガイド面３６ｂ、３６ｃ、第２ガイド面３６ｅ、３６ｆによって全体として略ひし形状（あるいは略六角形形状）に形成される。そして、押上部３６は、挿入方向に視て周方向に対して係止凹部３２の範囲内に形成される。ここでは、押上部３６は、周方向の中心位置が係止凹部３２の周方向の中心位置とほぼ一致し、かつ、周方向に対して係止凹部３２より小さく形成される。また、押上部３６は、挿入方向（軸方向）に対しては、第１螺旋ガイド面３３、第２螺旋ガイド面３４による端子突起部２２の螺旋状の回転軌跡を阻害しない長さに形成される。
【００４１】
上記のように構成されるコネクタ１は、コネクタハウジング３に形成された各端子挿入孔３１に対して、それぞれ挿入方向後側から端子２が挿入される。以下、図１０、図１１、図１２、図１５、図１６、図１７、図１８を参照してコネクタ１の組み立てについて説明する。
【００４２】
ここで、スペーサ５は、ハウジング本体４に対して径方向に沿って端子挿入位置と二重係止位置とに移動可能である。端子挿入位置は、図１に示すように、スペーサ５がハウジング本体４に仮組み付けされ端子挿入開口３１ａを介した端子挿入孔３１への端子２の挿入を許容する位置である。一方、二重係止位置は、図２０に示すように、スペーサ５がハウジング本体４に本組み付けされ端子突起部２２が係止凹部３２に係止された状態の端子２とスペーサ５とが係合し端子挿入孔３１からの端子２の抜けを規制する位置である。コネクタ１は、各端子挿入孔３１に対して端子２を挿入する際にはスペーサ５が端子挿入位置に位置付けられる。コネクタ１は、スペーサ５が端子挿入位置に位置付けられた状態では第１螺旋ガイド面３３、第２螺旋ガイド面３４がそれぞれスペーサ５、ハウジング本体４に渡って連続する。言い換えれば、端子挿入位置は、スペーサ５に形成された第１螺旋ガイド面３３、第２螺旋ガイド面３４とハウジング本体４に形成された第１螺旋ガイド面３３、第２螺旋ガイド面３４とがそれぞれ連続する位置である。なお、フロントホルダー６は、端子挿入孔３１への端子２の挿入に先立ってハウジング本体４に装着される。
【００４３】
コネクタ１は、端子挿入開口３１ａを介して端子２を端子挿入孔３１へ挿入する際に、端子突起部２２が挿入方向に対して係止凹部３２と正対する位置からずれた位置で当該端子挿入孔３１に挿入された場合には、端子突起部２２が第１螺旋ガイド面３３、又は、第２螺旋ガイド面３４によって案内されることで挿入方向に沿いかつ周方向に回転しながら係止凹部３２側に案内される。第１螺旋ガイド面３３、第２螺旋ガイド面３４は、端子２を端子挿入孔３１に挿入する挿入方向に沿った挿入力の一部を、当該端子２を周方向に沿って回転させる回転力に変換することで、端子突起部２２を介して端子２に回転を与える。
【００４４】
この場合、コネクタ１は、端子挿入孔３１への端子２の挿入に伴って端子２の先端が押上部３６に当接して当該端子２が振分部３５に押し上げられ端子２の端子突起部２２が振分部３５側に押し上げられる。そして、コネクタ１は、図１５に示すように、端子突起部２２が挿入方向に対して第１螺旋ガイド面３３の端部（始端）と第２螺旋ガイド面３４の端部（始端）との接続部分に正対する位置で当該端子挿入孔３１に挿入された場合には、端子突起部２２が振分部３５によって第１螺旋ガイド面３３側、又は、第２螺旋ガイド面３４側に振り分けられる。そして、コネクタ１は、端子突起部２２が第１螺旋ガイド面３３、又は、第２螺旋ガイド面３４によって案内されることで螺旋状の回転軌跡で係止凹部３２側に向かって移動し当該係止凹部３２に嵌合し係止される。これにより、コネクタ１は、コネクタハウジング３に形成された端子挿入孔３１に対して端子２が係止され保持される。
【００４５】
図１０、図１１、図１６、図１７は、端子突起部２２が第１螺旋ガイド面３３側に振り分けられた場合を例示している。コネクタ１は、端子突起部２２が第１螺旋ガイド面３３によって案内されることで螺旋状の回転軌跡（挿入方向前側を視て右回り（時計回り）の回転軌跡）で係止凹部３２側に向かって移動し、図１０、図１６に示す状態から図１１、図１７に示す状態を経て図１２、図１８に示すように端子突起部２２が係止凹部３２に嵌合し係止された状態に至る。コネクタ１は、図１２、図１８に示すように、端子突起部２２が係止凹部３２に嵌合し係止された状態で、端子突起部２２の係止面２２ａと抜け規制壁面３２ａとが当接することで、当該端子２が端子挿入孔３１から抜けることが規制され、かつ、端子突起部２２の各側面と一対の回転規制壁面３２ｂとが当接することで、当該端子２の周方向両側への回転が規制される。
【００４６】
一方、コネクタ１は、端子挿入開口３１ａを介して端子２を端子挿入孔３１へ挿入する際に、端子突起部２２が挿入方向に対して係止凹部３２と正対する位置で当該端子挿入孔３１に挿入された場合には、端子突起部２２が挿入方向に沿って係止凹部３２側に向かって移動し当該係止凹部３２に嵌合し係止される。このとき、コネクタ１は、図１９に示すように、端子突起部２２が押上部３６に当接しても、第１ガイド面３６ｂ、３６ｃによって周方向の一方側又は他方側のいずれか一方に振り分けられる。またこのとき、コネクタ１は、例えば、電線３０１が把持されて当該端子２が挿入された場合には、端子突起部２２が押上部３６によって振り分けられた際に端子突起部２２を含む端子２の周方向の回転に伴って電線３０１が捻じられる。そして、コネクタ１は、端子突起部２２が押上部３６を通過した後に電線３０１が上記のねじれの方向とは反対方向へ戻ろうとする力（復元力）によって端子突起部２２を含む端子２が上記とは逆方向に回転し、もとの位置側（係止凹部３２と正対する位置側）に復帰する。
【００４７】
そして、コネクタ１は、端子突起部２２が係止凹部３２に嵌合し係止された状態（１次係止状態）で、図２０に示すように、スペーサ５が二重係止位置に位置付けられることで、端子２の挿入方向への移動が規制され二重係止される（２次係止状態）。すなわち、スペーサ５は、二重係止位置に位置付けられると、当該スペーサ５の挿入方向前側の端面の一部が端子２の位置決め凹部２４内に入り込み、電気接続部２１の円筒状部２１ａの挿入方向後側の端面と当接し端子２の挿入方向後側への移動を規制する。スペーサ５は、二重係止位置に位置付けられた状態で係止機構を介してハウジング本体４に係止される。すなわち、ハウジング本体４に本組み付けされる。なお、スペーサ５は、ハウジング本体４のスペーサ嵌合凹部４２に一部が組み付けられた状態で当該係止機構による係止が未だなされていない状態が仮組み付けの状態に相当する。
【００４８】
以上で説明したコネクタ１によれば、円筒状に形成されると共に外面から突出して設けられる端子突起部２２を有する端子２と、円柱状に形成され端子挿入開口３１ａから端子２を挿入可能である端子挿入孔３１、端子２が端子挿入孔３１に挿入された状態で端子突起部２２が嵌合し係止される係止凹部３２、及び、端子挿入孔３１を形成する挿入孔壁面３１ｃから内方に突出して形成されると共に端子挿入開口３１ａ側の端部が当該端子挿入開口３１ａ側に突出した突部状、ここでは、角部状に形成され端子挿入開口３１ａを介した端子挿入孔３１への端子２の挿入に伴って端子突起部２２を周方向の一方側又は他方側のいずれか一方に振り分け可能である押上部３６を有するコネクタハウジング３を備える。したがって、コネクタ１は、端子突起部２２を係止凹部３２に嵌合させ係止するために端子挿入開口３１ａを介して端子２を端子挿入孔３１へ挿入する際に、端子突起部２２が押上部３６に当接しても当該押上部３６の角部状（突部状）の部分によって端子突起部２２が周方向の一方側又は他方側のいずれか一方に振り分けられるので、端子突起部２２と押上部３６とが衝突していわゆるどつきが発生することを抑制することができる。この結果、コネクタ１は、適正な組み付け性を確保することができる。
【００４９】
このとき、このコネクタ１によれば、押上部３６は、挿入方向に視て周方向に対して係止凹部３２の範囲内に形成される。したがって、コネクタ１は、端子突起部２２が挿入方向に対して係止凹部３２と正対する位置で当該端子挿入孔３１に挿入され押上部３６により周方向の一方側又は他方側のいずれか一方に振り分けられた場合であっても、端子突起部２２が挿入方向に沿って移動し係止凹部３２に嵌合し易い構成とすることができ、その上で適正な組み付け性を確保することができる。
【００５０】
さらに、以上で説明したコネクタ１によれば、押上部３６は、端子挿入開口３１ａとは反対側の端部が当該端子挿入開口３１ａとは反対側に突出した突部状、ここでは、角部状に形成され端子挿入孔３１からの端子２の抜き出しに伴って端子突起部２２を周方向の一方側又は他方側のいずれか一方に振り分け可能である。したがって、コネクタ１は、端子挿入孔３１からの端子２の抜き出しの際に端子突起部２２が押上部３６に当接しても当該押上部３６の角部状（突部状）の部分によって端子突起部２２が周方向の一方側又は他方側のいずれか一方に振り分けられるので、端子突起部２２と押上部３６とが衝突していわゆるどつきが発生することを抑制することができる。
【００５１】
さらに、以上で説明したコネクタ１によれば、押上部３６は、端子挿入開口３１ａ側の端部の角部状（突部状）の稜線３６ａを境界として両側の面が一対の第１ガイド面３６ｂ、３６ｃを構成し、当該一対の第１ガイド面３６ｂ、３６ｃによって端子突起部２２を周方向の一方側又は他方側のいずれか一方に振り分け可能であり、端子挿入開口３１ａとは反対側の端部の角部状（突部状）の稜線３６ｄを境界として両側の面が一対の第２ガイド面３６ｅ、３６ｆを構成し、当該一対の第２ガイド面３６ｅ、３６ｆによって端子突起部２２を周方向の一方側又は他方側のいずれか一方に振り分け可能である。したがって、コネクタ１は、端子挿入開口３１ａを介して端子２を端子挿入孔３１へ挿入する際には、第１ガイド面３６ｂ、３６ｃによって端子突起部２２を周方向の一方側又は他方側のいずれか一方に振り分けることができ、端子挿入孔３１からの端子２の抜き出しの際には、第２ガイド面３６ｅ、３６ｆによって端子突起部２２を周方向の一方側又は他方側のいずれか一方に振り分けることができる。
【００５２】
さらに、以上で説明したコネクタ１によれば、コネクタハウジング３は、第１螺旋ガイド面３３、第２螺旋ガイド面３４、及び、振分部３５を有し、押上部３６は、挿入孔壁面３１ｃにおいて振分部３５と径方向に対向する位置に当該挿入孔壁面３１ｃから振分部３５側に突出して形成され、端子挿入開口３１ａを介した端子挿入孔３１への端子２の挿入に伴って端子２の先端が当接して当該端子２を端子突起部２２が振分部３５に当接する側に押し上げる。したがって、コネクタ１は、上述したように、端子挿入孔３１への端子２の挿入の際には、端子挿入孔３１に対する端子２の周方向（軸線周り方向）の方向性にかかわらず、言い換えれば、挿入開始時の、端子挿入孔３１に対する端子突起部２２の相対的な位置関係にかかわらず、当該端子２の端子突起部２２を係止凹部３２に嵌合させ係止することができる。この結果、このコネクタ１は、挿入時の端子２の周方向の方向性を気にしなくても、言い換えれば、端子２における端子突起部２２の位置を確認しなくても、容易に当該端子２を端子挿入孔３１に挿入し端子突起部２２を係止凹部３２に嵌合させ係止することができる。またこのとき、コネクタ１は、端子突起部２２が挿入方向に対して係止凹部３２と正対する位置からずれた位置で当該端子挿入孔３１に挿入された場合に、押上部３６によって端子突起部２２を振分部３５側に押し上げて確実に第１螺旋ガイド面３３、又は、第２螺旋ガイド面３４に振り分けることができる。これにより、コネクタ１は、適正な組み付け性を確保することができる。これにより、コネクタ１は、例えば、相手方コネクタ２０１の端子２０２に対する端子２の方向性を確保した上で、コネクタハウジング３への端子２の組み付け性を向上することができ、コネクタ１を組み立てる際の作業負荷を低減することができる。
【００５３】
さらに、以上で説明したコネクタ１によれば、振分部３５、及び、押上部３６は、角部状の稜線３５ａ、３６ａ、３６ｄが径方向に沿って延在する。したがって、振分部３５、押上部３６は、稜線３５ａ、３６ａ、３６ｄを境界として、確実に端子突起部２２を周方向の一方側又は他方側のいずれか一方に振り分けることができる。
【００５４】
さらに、以上で説明したコネクタ１によれば、第１螺旋ガイド面３３、第２螺旋ガイド面３４は、端子２を端子挿入孔３１に挿入する挿入方向に沿った挿入力の一部を、当該端子２を周方向に沿って回転させる回転力に変換する。したがって、コネクタ１は、第１螺旋ガイド面３３、第２螺旋ガイド面３４によって端子２に対して周方向に沿った回転を与えることができるので、端子挿入孔３１への端子２の挿入の際の端子２の周方向の方向性にかかわらず、端子突起部２２を係止凹部３２側に向かわせることができる。
【００５５】
さらに、以上で説明したコネクタ１によれば、コネクタハウジング３は、端子突起部２２が係止凹部３２に嵌合し係止された状態で、端子突起部２２と当接し端子２の周方向両側への回転を規制する一対の回転規制壁面３２ｂを有する。したがって、コネクタ１は、端子突起部２２が係止凹部３２に嵌合し係止された状態で、端子突起部２２の各側面と一対の回転規制壁面３２ｂとが当接することで、当該端子２の周方向両側への回転を規制することができる。この結果、コネクタ１は、丸形端子である端子２の周方向に対するガタツキを抑制することができ、例えば、相手方コネクタ２０１の端子２０２との接点ズレが発生することを抑制することができる。
【００５６】
さらに、以上で説明したコネクタ１によれば、回転規制壁面３２ｂは、先端を有する突起壁体４４ｂの表面に形成され、コネクタハウジング３は、樹脂成形によって構成され、突起壁体４４ｂが樹脂の最終充填位置となる。したがって、コネクタ１は、仮にコネクタハウジング３の成形時に樹脂が不足した場合でも、最終充填位置となる突起壁体４４ｂでは少しでも回転規制壁面３２ｂが形成されていればよいので多少の成形不良を許容することができる。
【００５７】
さらに、以上で説明したコネクタ１によれば、コネクタハウジング３は、端子挿入開口３１ａ、及び、係止凹部３２が形成されたハウジング本体４と、ハウジング本体４に対して端子挿入開口３１ａと係止凹部３２との間に着脱可能に組み付けられるスペーサ５とを含んで構成され、端子挿入孔３１、第１螺旋ガイド面３３、及び、第２螺旋ガイド面３４は、挿入方向に沿ってハウジング本体４とスペーサ５とに渡って形成される。したがって、コネクタ１は、端子挿入孔３１、第１螺旋ガイド面３３、及び、第２螺旋ガイド面３４の挿入方向に沿った長さを相対的に長く確保しやすい構成とすることができる。この結果、コネクタ１は、第１螺旋ガイド面３３、第２螺旋ガイド面３４によって端子突起部２２を比較的に緩やかな回転軌跡で係止凹部３２側に案内することができるので、組み付け性を向上することができる。
【００５８】
さらに、以上で説明したコネクタ１によれば、スペーサ５は、ハウジング本体４に仮組み付けされ端子挿入開口３１ａを介した端子挿入孔３１への端子２の挿入を許容する端子挿入位置と、ハウジング本体４に本組み付けされ端子突起部２２が係止凹部３２に係止された状態の端子２と係合し端子挿入孔３１からの端子２の抜けを規制する二重係止位置とに移動可能である。したがって、コネクタ１は、スペーサ５を端子挿入位置に位置付けることで端子挿入孔３１に端子２を挿入することができる一方、スペーサ５を二重係止位置に位置付けることで端子２の挿入方向後側への移動を規制し、当該端子２を端子挿入孔３１に確実に保持するための保持力を十分に確保することができる。
【００５９】
さらに、以上で説明したコネクタ１によれば、コネクタハウジング３は、ハウジング本体４の端子挿入開口３１ａとは反対側に形成され端子２と電気的に接続される端子２０２が挿入される相手方端子挿入開口３１ｂを有するフロントホルダー６を含んで構成され、端子挿入孔３１は、挿入方向に沿ってハウジング本体４とスペーサ５とフロントホルダー６とに渡って形成される。したがって、コネクタ１は、フロントホルダー６によって端子２の挿入方向前側のガタツキを抑えることができるので、相手方コネクタ２０１の端子２０２との接点ズレが発生することをより確実に抑制することができる。
【００６０】
また、以上で説明したワイヤハーネスＷＨによれば、電線３０１と、電線３０１の末端に接続された上記コネクタ１とを備える。したがって、ワイヤハーネスＷＨは、上記で説明したコネクタ１が適用されるので、適正な組み付け性を確保することができる。
【００６１】
［実施形態２］
図２１は、実施形態２に係るコネクタの端子を表す斜視図である。図２２は、実施形態２に係るコネクタの端子を表す正面図である。図２３は、実施形態２に係るコネクタの端子の電気接続部を含む部分断面斜視図である。図２４は、実施形態２に係るコネクタの端子の電気接続部を含む軸方向に沿った部分断面図である。図２５、図２７は、実施形態２に係るコネクタの端子の軸方向に沿った断面図である。図２６、図２８は、実施形態２に係るコネクタの端子の軸方向と直交する方向に沿った断面図である。なお、図２１、図２２、図２３、図２４、図２５、図２６、図２７、図２８は、端子に接続される電線の図示を省略している。実施形態２に係るコネクタは、端子の構成が実施形態１とは異なる。以下では、上述した実施形態と同様の構成要素には共通の符号が付されると共に、共通する構成、作用、効果については、重複した説明はできるだけ省略する。また、コネクタの各構成については、適宜上述の図も参照する（以下同様。）。
【００６２】
図２１、図２２、図２３、図２４に示す本実施形態に係るコネクタ４０１は、端子２（図１等参照）にかえてメス型の端子４０２を備える点で上述のコネクタ１（図１等参照）とは異なる。コネクタ４０１は、コネクタハウジング３（図１等参照）を含むその他の構成については、コネクタ１とほぼ同様の構成である。
【００６３】
端子４０２は、端子２と同様に、円筒状に形成されたメス型の丸形端子として構成される。端子４０２は、外面から突出して設けられる端子突起部４２２を有し、電線３０１（図５等参照）の末端に接続される。端子４０２は、コネクタハウジング３（図１等参照）に形成された端子挿入孔３１（図１等参照）に挿入され収容されることでコネクタ４０１を構成するコネクタ用のメス端子である。本実施形態の端子４０２は、端子突起部４２２を複数、ここでは５つ有している。
【００６４】
具体的には、端子４０２は、電気接続部４２１と、端子突起部４２２と、電線接続部４２３と、位置決め凹部４２４とを含み、全体が導電性の金属によって構成される。端子４０２は、例えば、電気接続部４２１、端子突起部４２２、電線接続部４２３、位置決め凹部４２４等の各部に対応した形状に打ち抜かれた一枚の板金をプレス成形することにより各部が一体で形成される。端子４０２は、電気接続部４２１が円筒状に形成される。電線接続部４２３は、導体圧着部４２５、及び、被覆接続部４２６を含んで構成される。電線接続部４２３、位置決め凹部４２４、導体圧着部４２５及び被覆接続部４２６は、上述した電線接続部２３、位置決め凹部２４、導体圧着部２５及び被覆接続部２６と若干形状が異なる部分があるが、基本構成はほぼ同様であるので、ここではその詳細な説明を省略する。
【００６５】
電気接続部４２１は、相手方端子としての端子２０２（図１参照）と電気接続するための部分であり、端子４０２において挿入方向前側の端部を構成する。電気接続部４２１は、円筒状に形成される。電気接続部４２１は、径方向に沿った断面形状が正円形状であるが製造誤差等に応じて多少偏平となることは許容される。電気接続部４２１は、挿入方向前側が開口した円筒状に形成される円筒状部（ボックス部）４２１ａと、円筒状部４２１ａの内部に配設された弾性接触バネ４２１ｂとを含んで構成される。電気接続部４２１は、例えば、上記のように所定の形状に打ち抜かれた板金において、円筒状部４２１ａの部分の端縁同士を突き合わせることで形成されている。
【００６６】
円筒状部４２１ａは、中心軸線が挿入方向（軸方向）に沿い、相手方端子としての端子２０２が挿入される。弾性接触バネ４２１ｂは、円筒状部４２１ａの内周面との間に当該円筒状部４２１ａの内部に挿入された端子２０２を挟持する。電気接続部４２１は、円筒状部４２１ａの内部に端子２０２が挿入されると共に弾性接触バネ４２１ｂが円筒状部４２１ａの内部に挿入された端子２０２によって押圧され径方向に弾性変形し、当該弾性変形に伴って生じる弾性反力により、弾性接触バネ４２１ｂと円筒状部４２１ａの内周面との間に端子２０２を挟持する。電気接続部４２１は、円筒状部４２１ａの内周面から内側に向けて突出するようにして形成された複数の接点部４２１ｃ、及び、弾性接触バネ４２１ｂに突出するようにして形成された１つの接点部４２１ｄで端子２０２と電気的に接続される。接点部４２１ｃ、４２１ｄは、それぞれ電気接続部４２１を構成する板金にインデント（押圧変形による凹部）を設けることで形成される。
【００６７】
また、本実施形態の端子突起部４２２は、電気接続部４２１の円筒状部４２１ａの挿入方向前側の端部の一部が外周面側に折り返されることで、外面から突出するように形成される。端子突起部４２２は、複数設けられ、ここでは、周方向に等間隔で５つ設けられる。端子突起部４２２は、挿入方向後側の端面がコネクタハウジング３の係止凹部３２（図１等参照）に係止される係止面４２２ａを構成する。
【００６８】
そして、本実施形態の弾性接触バネ４２１ｂは、上述の弾性接触バネ２１ｂとは異なり、円筒状部４２１ａの一部が挿入方向に沿って切削され当該円筒状部４２１ａの内部側に屈曲されることで形成される。
【００６９】
具体的には、弾性接触バネ４２１ｂは、挿入方向に沿って帯状に形成される本体部４２１ｅと、本体部４２１ｅの挿入方向の一方の端部に形成される基端部４２１ｆと、本体部４２１ｅの挿入方向の他方の端部に形成される先端部４２１ｇとを含んで構成される。ここでは、基端部４２１ｆは、本体部４２１ｅの挿入方向前側の端部に形成され、先端部４２１ｇは、本体部４２１ｅの挿入方向後側の端部に形成される。
【００７０】
本体部４２１ｅは、円筒状部４２１ａの一部が基端部４２１ｆの部分を残して挿入方向に沿って切削され円筒状部４２１ａの内部側に屈曲されることで、挿入方向に沿った帯状に形成される。上述した接点部４２１ｄは、本体部４２１ｅの挿入方向中央部が円筒状部４２１ａの内部側に屈曲することで形成される。基端部４２１ｆは、円筒状部４２１ａの一部において、切削されずに残った部分であり、本体部４２１ｅの挿入方向の一方側、ここでは前側の端部が円筒状部４２１ａと接続されることで構成される部分である。先端部４２１ｇは、円筒状部４２１ａの一部において、切削され切り出された部分であり、挿入方向の他方側、ここでは後側の端部が当該円筒状部４２１ａの内部側に折り返されることで構成され円筒状部４２１ａの内周面に支持される。ここでは、図２４に示すように、先端部４２１ｇに該当する切削部分の挿入方向と直交する方向の長さを「Ｔ」、本体部４２１ｅの中央部に該当する切削部分における挿入方向と直交する方向の長さを「Ｔ’」とする。この場合に、先端部４２１ｇは、本体部４２１ｅ全体が［長さＴ＞長さＴ’］となるように切削されると共に、本体部４２１ｅの挿入方向後側の端部が当該円筒状部４２１ａの内部側で、かつ、基端部４２１ｆ側に接近するように切り起こされることで形成される。
【００７１】
上記の弾性接触バネ４２１ｂは、本体部４２１ｅの挿入方向前側の端部が円筒状部４２１ａと接続されて基端部４２１ｆを構成すると共に当該本体部４２１ｅが挿入方向後側に向けて延在し挿入方向後側の端部が折り返されることで先端部４２１ｇを構成する。これにより、弾性接触バネ４２１ｂは、円筒状部４２１ａの内部側に挿入方向に沿って延在すると共に、円筒状部４２１ａの内周面側に基端部４２１ｆと先端部４２１ｇとの２点で支持され、いわゆる両持梁状のバネを構成し、径方向に沿って撓み変形可能とされる。
【００７２】
図２５、図２６は、電気接続部４２１の円筒状部４２１ａの内部に相手方端子としての端子２０２が挿入される前の状態を表している。端子４０２は、この状態から、図２７、図２８に示すように、電気接続部４２１の円筒状部４２１ａの内部に端子２０２が挿入されると、円筒状部４２１ａの内部に挿入された端子２０２によって弾性接触バネ４２１ｂが押圧され径方向に弾性変形し、当該弾性変形に伴って生じる弾性反力により、弾性接触バネ４２１ｂと円筒状部４２１ａの内周面との間に端子２０２を挟持する。このとき、端子４０２は、弾性接触バネ４２１ｂの本体部４２１ｅが基端部４２１ｆと先端部４２１ｇとの２点で円筒状部４２１ａの内周面側に支持され両持梁状のバネを構成することで、円筒状部４２１ａの外側への過剰な変形（図２７中に示す矢印Ｅ方向への過剰な変形）が抑制される。
【００７３】
以上で説明したコネクタ４０１は、端子突起部４２２を係止凹部３２（図１等参照）に嵌合させ係止するために端子挿入開口３１ａ（図１等参照）を介して端子４０２を端子挿入孔３１（図１等参照）へ挿入する際に、端子突起部４２２のいずれかが押上部３６（図１等参照）に当接しても当該押上部３６の角部状（突部状）の部分によって端子突起部４２２が周方向の一方側又は他方側のいずれか一方に振り分けられるので、端子突起部４２２と押上部３６とが衝突していわゆるどつきが発生することを抑制することができる。この結果、コネクタ４０１は、適正な組み付け性を確保することができる。
【００７４】
そしてさらに、以上で説明したコネクタ４０１によれば、端子４０２は、相手方端子２０２が挿入される円筒状部４２１ａと、円筒状部４２１ａの内周面との間に当該円筒状部４２１ａの内部に挿入された相手方端子２０２を挟持する弾性接触バネ４２１ｂとを有し、弾性接触バネ４２１ｂは、円筒状部４２１ａの一部が挿入方向に沿って切削され当該円筒状部４２１ａの内部側に屈曲されることで形成されると共に、挿入方向の一方側の端部が円筒状部４２１ａと接続されることで構成される基端部４２１ｆと、挿入方向の他方側の端部が当該円筒状部４２１ａの内部側に折り返されることで構成され円筒状部４２１ａの内周面に支持される先端部４２１ｇとを含んで構成される。したがって、コネクタ４０１は、端子４０２において、弾性接触バネ４２１ｂの本体部４２１ｅが基端部４２１ｆと先端部４２１ｇとの２点で円筒状部４２１ａの内周面側に支持され両持梁状のバネを構成するので、円筒状部４２１ａの内部に端子２０２が挿入された際に、弾性接触バネ４２１ｂが円筒状部４２１ａの外側へ過剰に変形することを抑制することができると共に、端子２０２との接触を安定させることができる。また、コネクタ４０１は、円筒状部４２１ａの一部を挿入方向に沿って切削した部分を当該円筒状部４２１ａの内部側に屈曲させることで弾性接触バネ４２１ｂが形成されることで、弾性接触バネ４２１ｂが形成される部分の板厚を抑制し径方向に対する低背化を図った上で、弾性接触バネ４２１ｂが過剰に変形することを抑制することができる。
【００７５】
なお、以上の説明では、弾性接触バネ４２１ｂは、基端部４２１ｆが本体部４２１ｅの挿入方向前側の端部に形成され、先端部４２１ｇが本体部４２１ｅの挿入方向後側の端部に形成されるものとして説明したがこれに限らず、先端部４２１ｇが本体部４２１ｅの挿入方向前側の端部に形成され、基端部４２１ｆが本体部４２１ｅの挿入方向後側の端部に形成されてもよい。
【００７６】
また、上述した端子４０２は、図２９、図３０、図３１、図３１、図３２、図３３、図３４、図３５、図３６、図３７に示すような参考例に係るコネクタ５０１に適用されてもよい。
【００７７】
［参考例］
図２９は、参考例に係るコネクタの概略構成を表す側面図である。図３０、図３６は、参考例に係るコネクタの軸方向に沿った断面図である。図３１は、図２９に示すＦ−Ｆ断面図である。図３２は、図２９に示すＧ−Ｇ断面図である。図３３は、図２９に示すＨ−Ｈ断面図である。図３４は、参考例に係るコネクタのハウジング本体の正面図である。図３５は、参考例に係るコネクタのフロントホルダーの正面図である。図３７は、参考例に係るコネクタの軸方向と直交する方向に沿った断面図である。なお、図３０、図３６は、スペーサを二点鎖線で図示している。
【００７８】
本参考例に係るコネクタ５０１は、図３０、図３１に示すように、上述の端子４０２を備え、さらに、コネクタハウジング３（図１等参照）にかえてコネクタハウジング５０３を備える点で上述のコネクタ１、４０１とは異なる。
【００７９】
本参考例のコネクタハウジング５０３は、コネクタハウジング３（図１等参照）と同様に、ワイヤハーネスＷＨを構成し、端子４０２を保持するものであり、全体が絶縁性の合成樹脂材等によって構成される。コネクタハウジング５０３は、端子挿入孔５３１に対して挿入方向後側から端子４０２が挿入され、これを保持する。本参考例のコネクタハウジング５０３は、２個の端子挿入孔５３１を有し、各端子挿入孔５３１にそれぞれ端子４０２が挿入される（図３１等参照）。以下の説明では、複数の端子挿入孔５３１のうちの１つについて説明し、各端子挿入孔５３１の共通の説明とする。
【００８０】
具体的には、本参考例のコネクタハウジング５０３は、図３０、図３１、図３２、図３３に示すように、端子挿入孔５３１と、回転規制溝５３２と、内面突起部５３３とを有する一方、上述したコネクタハウジング３が有する係止凹部３２（図１等参照）、第１螺旋ガイド面３３（図１等参照）、第２螺旋ガイド面３４（図９等参照）、振分部３５（図１等参照）、押上部３６（図１等参照）等を有していない。端子挿入孔５３１は、上述のコネクタハウジング３の端子挿入孔３１と同様に、略円柱状に形成され端子挿入開口５３１ａから端子４０２を挿入可能である。端子挿入孔５３１は、端子挿入孔３１と若干形状が異なる部分があるが、基本構成はほぼ同様であるので、ここではその詳細な説明をできるだけ省略する。
【００８１】
本参考例のコネクタハウジング５０３は、第１ハウジングとしてのハウジング本体５０４と第２ハウジングとしてのスペーサ５０５と第３ハウジングとしてのフロントホルダー５０６とを含んで構成される。コネクタハウジング５０３は、コネクタハウジング３と同様に、これらハウジング本体５０４とスペーサ５０５とフロントホルダー５０６とが分割された状態で個別に成形されたものを相互に組み付ける分割構造となっている。端子挿入孔５３１、回転規制溝５３２は、軸方向（挿入方向）に沿ってハウジング本体５０４とフロントホルダー５０６とに渡って形成される。端子挿入開口５３１ａ、内面突起部５３３は、ハウジング本体５０４に形成される。
【００８２】
ハウジング本体５０４は、略直方体状に形成され、端子挿入孔５３１を構成する本体部挿入孔５４１が形成されると共にスペーサ５０５が嵌合するためのスペーサ嵌合凹部５４２が形成されている。本体部挿入孔５４１は、円柱状の空間部として形成され、ハウジング本体５０４を軸方向（挿入方向）に貫通すると共に一部がスペーサ嵌合凹部５４２によって分断されている。本体部挿入孔５４１は、軸方向一方側（挿入方向後側）の開口が端子挿入開口５３１ａを構成する。ここでは、ハウジング本体５０４は、筒状に形成される外郭部５０４Ａと、当該外郭部５０４Ａの内側に筒状に形成され軸方向一端部で外郭部５０４Ａと連結される内郭部５０４Ｂとを含んで構成される。本体部挿入孔５４１は、内郭部５０４Ｂに形成され、端子挿入開口５３１ａは、内郭部５０４Ｂにおいて外郭部５０４Ａと連結される側の端部に形成される。また、スペーサ嵌合凹部５４２は、外郭部５０４Ａから内郭部５０４Ｂの内側まで到達している。なお、ハウジング本体５０４は、係止凹部３２（図１等参照）、ランス部４４（図１等参照）、フード部４５（図１等参照）等を有さない構成であるがこれらを有していてもよい。
【００８３】
スペーサ５０５は、スペーサ５と同様にスペーサ嵌合凹部５４２に嵌合可能な大きさの略矩形板状に形成され、当該スペーサ嵌合凹部５４２に着脱可能に組み付けられる。スペーサ５０５は、スペーサ嵌合凹部５４２に対して軸方向（挿入方向）と略直交する方向に沿って着脱可能である。
【００８４】
フロントホルダー５０６は、フロントホルダー６と同様に、ハウジング本体５０４の端子挿入開口５３１ａが形成される側とは反対（挿入方向前側）の端面を覆うことができる蓋状に形成される。フロントホルダー５０６は、１つの面が開口した箱状に形成され、ハウジング本体５０４の内郭部５０４Ｂに装着され当該内郭部５０４Ｂの挿入方向前側の端面を覆うようにハウジング本体５０４に組み付けられる。フロントホルダー５０６は、端子挿入孔５３１を構成するホルダー部挿入孔５６１が形成される。ホルダー部挿入孔５６１は、円柱状の空間部として形成され、フロントホルダー５０６を軸方向（挿入方向）に貫通する。ホルダー部挿入孔５６１は、フロントホルダー５０６がハウジング本体５０４に適正に組み付けられた状態で、軸方向（挿入方向）に対して、本体部挿入孔５４１の挿入方向前側で、当該本体部挿入孔５４１と軸方向に沿って並んで対向する位置に形成される。ホルダー部挿入孔５６１は、軸方向他方側（挿入方向前側）の開口が相手方端子挿入開口５３１ｂを構成する。相手方端子挿入開口５３１ｂは、端子４０２と電気的に接続される相手方端子である端子２０２が挿入される開口である。
【００８５】
端子挿入孔５３１は、ハウジング本体５０４とフロントホルダー５０６とが適正な位置で組み付けられた状態で本体部挿入孔５４１とホルダー部挿入孔５６１とが軸方向（挿入方向）に並んで対向する。これにより、端子挿入孔５３１は、軸方向（挿入方向）に沿ってハウジング本体５０４とフロントホルダー５０６とに渡って形成される１つの円柱状の空間部を構成する。なお、以下の説明では、端子挿入孔５３１を形成する挿入孔壁面５３１ｃのうち、本体部挿入孔５４１を形成する壁面を本体部挿入孔壁面５４１ａ、ホルダー部挿入孔５６１を形成する壁面をホルダー部挿入孔壁面５６１ａという場合がある。
【００８６】
そして、回転規制溝５３２は、端子挿入孔５３１を形成する挿入孔壁面５３１ｃに端子４０２の挿入方向に延在して設けられる。回転規制溝５３２は、端子４０２が端子挿入孔５３１に挿入された状態で端子突起部４２２が挿入され端子４０２の周方向両側への回転を規制する部分として形成される。回転規制溝５３２は、挿入孔壁面５３１ｃを構成する本体部挿入孔壁面５４１ａとホルダー部挿入孔壁面５６１ａとに渡って形成される。回転規制溝５３２は、本体部挿入孔壁面５４１ａに形成される本体部回転規制溝５４３と、ホルダー部挿入孔壁面５６１ａに形成されるホルダー部回転規制溝５６２とを含んで構成される。本体部回転規制溝５４３、ホルダー部回転規制溝５６２は、ともに挿入方向に沿って直線状に形成される。回転規制溝５３２は、ハウジング本体５０４とフロントホルダー５０６とが適正な位置で組み付けられた状態で本体部回転規制溝５４３とホルダー部回転規制溝５６２とが軸方向（挿入方向）に並んで対向する。本体部回転規制溝５４３は、端子挿入開口５３１ａからややセットバックした位置を始端とし、本体部挿入孔壁面５４１ａの端子挿入開口５３１ａとは反対側の端部まで延在している。そして、本参考例の回転規制溝５３２は、図３１、図３２、図３３に段階的に示すように、本体部挿入孔５４１が端子挿入開口５３１ａから離間するにしたがって徐々に縮径されると共に本体部回転規制溝５４３が端子挿入開口５３１ａから離間するにしたがって徐々に径方向の深さが深くなるように形成される。また、回転規制溝５３２は、１つの本体部回転規制溝５４３と、１つのホルダー部回転規制溝５６２とを一組として複数設けられる。回転規制溝５３２は、上述した端子突起部４２２に対応して、端子挿入孔５３１の周方向に沿って複数設けられる。ここでは、回転規制溝５３２は、端子突起部４２２と同様に、各端子挿入孔５３１において周方向に等間隔で５つ設けられる。図３４は、上記のように構成される回転規制溝５３２の本体部回転規制溝５４３が設けられたハウジング本体５０４のフロントホルダー５０６側の正面図である。同様に、図３５は、上記のように構成される回転規制溝５３２のホルダー部回転規制溝５６２が設けられたフロントホルダー５０６のハウジング本体５０４側の正面図である。
【００８７】
内面突起部５３３は、図３０、図３１に示すように、端子挿入孔５３１を形成する挿入孔壁面５３１ｃから内方に突出して形成されると共に端子挿入開口５３１ａを介した端子挿入孔５３１への端子４０２の挿入に伴って端子突起部４２２を回転規制溝５３２側に案内可能である部分として形成される。ここでは、内面突起部５３３は、挿入孔壁面５３１ｃを構成する本体部挿入孔壁面５４１ａにおいて、本体部回転規制溝５４３の挿入方向後側の始端と端子挿入開口５３１ａとの間に形成される。内面突起部５３３は、各本体部挿入孔壁面５４１ａに１つずつ設けられる。内面突起部５３３は、上述の振分部３５（図１等参照）や押上部３６（図１等参照）と略同様に、端子挿入開口５３１ａを介した端子挿入孔５３１への端子４０２の挿入に伴って端子突起部４２２のいずれかと当接して当該端子突起部４２２を周方向の一方側又は他方側のいずれか一方に振り分けることで端子４０２を回転させて、当該内面突起部５３３と周方向に隣接するいずれかの回転規制溝５３２側に当該端子突起部４２２を案内する。
【００８８】
上記のように構成されるコネクタ５０１は、コネクタハウジング５０３に形成された各端子挿入孔５３１に対して、それぞれ挿入方向後側から端子４０２が挿入される。ここで、スペーサ５０５は、ハウジング本体５０４に対して所定の方向に沿って端子挿入位置と係止位置とに移動可能である。端子挿入位置は、図３０に示すように、スペーサ５０５がハウジング本体５０４に仮組み付けされ端子挿入開口５３１ａを介した端子挿入孔５３１への端子４０２の挿入を許容する位置である。一方、係止位置は、図３６に示すように、スペーサ５０５がハウジング本体５０４に本組み付けされ、端子４０２が端子挿入孔５３１に対して適正な位置まで挿入され各端子突起部４２２が各回転規制溝５３２に挿入された状態の端子４０２とスペーサ５０５とが係合し端子挿入孔５３１からの端子４０２の抜けを規制する位置である。コネクタ５０１は、各端子挿入孔５３１に対して端子４０２を挿入する際にはスペーサ５０５が端子挿入位置に位置付けられる。フロントホルダー５０６は、端子挿入孔５３１への端子４０２の挿入に先立ってハウジング本体５０４に装着される。
【００８９】
そして、コネクタ５０１は、端子挿入開口５３１ａを介して端子４０２を端子挿入孔５３１へ挿入する際に、例えば、端子突起部４２２のいずれかが内面突起部５３３と当接して当該内面突起部５３３によって周方向の一方側又は他方側のいずれか一方に振り分けることで端子４０２を回転させて、いずれかの回転規制溝５３２側に当該端子突起部４２２を案内する。そして、コネクタ５０１は、図３６、図３７に示すように、端子４０２の各端子突起部４２２が各回転規制溝５３２に挿入された状態で、端子４０２が端子挿入孔５３１内の所定の位置まで挿入される。そして、コネクタ５０１は、スペーサ５０５が係止位置とされ、当該スペーサ５０５が端子４０２の位置決め凹部４２４に係合することで、当該端子４０２が端子挿入孔５３１から抜けることが規制され、かつ、端子突起部４２２の各側面と各回転規制溝５３２の周方向側面とが当接することで、当該端子４０２の周方向両側への回転が規制される。なお、図３６の状態では、ハウジング本体５０４とフロントホルダー５０６とは、軸方向に間隔をあけずに密着した状態で相互に組み付けられている。また、コネクタ５０１は、この状態で、端子突起部４２２の各側面と各回転規制溝５３２の周方向側面との間に所定のクリアランスが設定されている。
【００９０】
以上で説明したコネクタ５０１によれば、円筒状に形成されると共に外面から突出して設けられる端子突起部４２２を有する端子４０２と、円柱状に形成され端子挿入開口５３１ａから前記端子４０２を挿入可能である端子挿入孔５３１、前記端子挿入孔５３１を形成する挿入孔壁面５３１ｃに前記端子４０２の挿入方向に延在して設けられ前記端子４０２が前記端子挿入孔５３１に挿入された状態で前記端子突起部４２２が挿入され前記端子４０２の周方向両側への回転を規制する回転規制溝５３２、及び、前記端子挿入孔５３１を形成する挿入孔壁面５３１ｃから内方に突出して形成されると共に前記端子挿入開口５３１ａを介した前記端子挿入孔５３１への前記端子４０２の挿入に伴って前記端子突起部４２２を前記回転規制溝５３２側に案内可能である内面突起部５３３を有するコネクタハウジング５０３とを備えることを特徴とする。
【００９１】
したがって、コネクタ５０１は、端子挿入開口５３１ａを介して端子４０２を端子挿入孔５３１へ挿入し端子突起部４２２を回転規制溝５３２に挿入する際に、端子突起部４２２のいずれかが内面突起部５３３に当接し当該端子４０２を回転させながらいずれかの回転規制溝５３２側に案内され当該回転規制溝５３２に挿入される。この結果、コネクタ５０１は、端子突起部４２２が挿入方向に沿って移動し回転規制溝５３２に挿入され易い構成とすることができ、その上で適正な組み付け性を確保することができる。そして、コネクタ５０１は、端子突起部４２２が回転規制溝５３２に挿入され端子４０２の周方向両側への回転が規制されるので、丸形端子である端子４０２の周方向に対するガタツキを抑制することができ、例えば、相手方コネクタ２０１の端子２０２との接点ズレが発生することを抑制することができ、接触信頼性を向上できる。
【００９２】
さらに、以上で説明したコネクタ５０１によれば、前記回転規制溝５３２は、前記端子挿入開口５３１ａから離間するにしたがって徐々に径方向の深さが深くなる。したがって、コネクタ５０１は、端子突起部４２２を挿入方向に案内しながら回転規制溝５３２に挿入しやすい構成とすることができる。
【００９３】
さらに、以上で説明したコネクタ５０１によれば、前記端子突起部４２２、及び、前記回転規制溝５３２は、周方向に沿って複数設けられる。したがって、コネクタ５０１は、複数の端子突起部４２２、回転規制溝５３２によって確実に端子４０２の周方向に対するガタツキを抑制することができる。
【００９４】
ここでは、以上で説明したコネクタ５０１によれば、前記端子突起部４２２、及び、前記回転規制溝５３２は、周方向に沿って５つ設けられ、前記内面突起部５３３は、１つの前記端子挿入孔５３１に対して１つ設けられる。したがって、コネクタ５０１は、端子突起部４２２が内面突起部５３３に当接して回転しながら回転規制溝５３２に案内される際の端子４０２の回転角度を、最大でも３６°程度にすることができ、内面突起部５３３によって端子突起部４２２を少ない回転角度で回転規制溝５３２側に案内することができ、１つの内面突起部５３３でも適正に端子突起部４２２を回転規制溝５３２側に案内することができる。この結果、このコネクタ５０１は、挿入時の端子４０２の周方向の方向性を気にしなくても、言い換えれば、端子４０２における端子突起部４２２の位置を確認しなくても、容易に当該端子４０２を端子挿入孔５３１に挿入し端子突起部４２２を回転規制溝５３２に挿入することができる。これにより、コネクタ５０１は、例えば、相手方コネクタ２０１の端子２０２に対する端子４０２の方向性を確保した上で、コネクタハウジング５０３への端子４０２の組み付け性を向上することができ、コネクタ５０１を組み立てる際の作業負荷を低減することができる。
【００９５】
なお、上述した本発明の実施形態に係るコネクタは、上述した実施形態に限定されず、特許請求の範囲に記載された範囲で種々の変更が可能である。
【００９６】
以上の説明では、コネクタ１、４０１、５０１は、ワイヤハーネスＷＨを構成する電線３０１と電気機器としてのＥＣＵとの接続に使用されるメス型のＥＣＵコネクタであるものとして説明したがこれに限らず、オス型のコネクタに適用されてもよいし、ＥＣＵコネクタ以外のコネクタに適用されてもよい。端子２は、オス型の丸形端子であってもよい。
【００９７】
以上の説明では、コネクタハウジング３は、第１ハウジングとしてのハウジング本体４と第２ハウジングとしてのスペーサ５と第３ハウジングとしてのフロントホルダー６とを含んで構成されるものとして説明したがこれに限らず、例えば、これらが一体で形成されてもよい。つまり、端子挿入孔３１は、軸方向（挿入方向）に沿ってハウジング本体４とスペーサ５とフロントホルダー６とに渡って形成され、端子挿入開口３１ａ、係止凹部３２は、ハウジング本体４に形成され、第１螺旋ガイド面３３、第２螺旋ガイド面３４は、軸方向（挿入方向）に沿ってハウジング本体４とスペーサ５とに渡って形成され、振分部３５、押上部３６は、スペーサ５に形成されるものとして説明したがこれに限らない。また、コネクタ１は、コネクタハウジング３の所定の位置にさらにマットシール（防水材）を備えていてもよい。
【００９８】
以上の説明では、端子突起部２２は、電気接続部２１において軸方向の中央部よりやや前側に形成されるものとして説明したがこれに限らず、例えば、挿入方向前側の先端に形成されてもよい。
【００９９】
以上の説明では、押上部３６は、稜線３６ａ、３６ｄ、第１ガイド面３６ｂ、３６ｃ、第２ガイド面３６ｅ、３６ｆを含んで構成され、全体として略ひし形状（あるいは略六角形形状）に形成されるものとして説明したがこれに限らず、他の形状であってもよい。また、押上部３６は、端子挿入開口３１ａ側の端部、端子挿入開口３１ａとは反対側の端部がそれぞれ角部状に形成されるものとして説明したが、曲面状の突部状（例えば、端子突起部２２のような頂点が曲面状をなす半砲弾型）に形成されてもよい。この場合、端子突起部２２は、例えば、挿入方向前側の端部や挿入方向後側の端部が角部状（例えば、押上部３６のような略ひし形状）に形成されてもよい。
【０１００】
以上の説明では、コネクタハウジング３は、突起壁体４４ｂが樹脂の最終充填位置となるものとして説明したが必ずしも突起壁体４４ｂが最終充填位置とならなくてもよい。
【０１０１】
以上の説明では、内面突起部は、端子２を振分部３５側に押し上げる機能を有する押上部であるものとして説明したがこれに限らない。また、コネクタハウジング３は、第１螺旋ガイド面３３、第２螺旋ガイド面３４、及び、振分部３５を有するものとして説明したがこれに限らず、第１螺旋ガイド面３３、第２螺旋ガイド面３４、振分部３５自体を有さない構成であってもよい。
【符号の説明】
【０１０２】
１、４０１    コネクタ
２、４０２    端子
３    コネクタハウジング
４    ハウジング本体
５    スペーサ
６    フロントホルダー
２２    端子突起部
３１    端子挿入孔
３１ａ    端子挿入開口
３１ｂ    相手方端子挿入開口
３１ｃ    挿入孔壁面
３２    係止凹部
３２ｂ    回転規制壁面
３３    第１螺旋ガイド面
３４    第２螺旋ガイド面
３５    振分部
３５ａ、３６ａ、３６ｄ    稜線
３６    押上部（内面突起部）
３６ｂ、３６ｃ    第１ガイド面
３６ｅ、３６ｆ    第２ガイド面
４４ｂ    突起壁体
２０２    端子
３０１    電線
４２１ａ    円筒状部
４２１ｂ    弾性接触バネ
４２１ｆ    基端部
４２１ｇ    先端部
４２２    端子突起部
ＷＨ    ワイヤハーネス
【図１】
2016136510.tif 000003
【図２】
2016136510.tif 000004
【図３】
2016136510.tif 000005
【図４】
2016136510.tif 000006
【図５】
2016136510.tif 000007
【図６】
2016136510.tif 000008
【図７】
2016136510.tif 000009
【図８】
2016136510.tif 000010
【図９】
2016136510.tif 000011
【図１０】
2016136510.tif 000012
【図１１】
2016136510.tif 000013
【図１２】
2016136510.tif 000014
【図１３】
2016136510.tif 000015
【図１４】
2016136510.tif 000016
【図１５】
2016136510.tif 000017
【図１６】
2016136510.tif 000018
【図１７】
2016136510.tif 000019
【図１８】
2016136510.tif 000020
【図１９】
2016136510.tif 000021
【図２０】
2016136510.tif 000022
【図２１】
2016136510.tif 000023
【図２２】
2016136510.tif 000024
【図２３】
2016136510.tif 000025
【図２４】
2016136510.tif 000026
【図２５】
2016136510.tif 000027
【図２６】
2016136510.tif 000028
【図２７】
2016136510.tif 000029
【図２８】
2016136510.tif 000030
【図２９】
2016136510.tif 000031
【図３０】
2016136510.tif 000032
【図３１】
2016136510.tif 000033
【図３２】
2016136510.tif 000034
【図３３】
2016136510.tif 000035
【図３４】
2016136510.tif 000036
【図３５】
2016136510.tif 000037
【図３６】
2016136510.tif 000038
【図３７】
2016136510.tif 000039